(57)【要約】【課題】ユーザによってＭＤＴに対する承諾が取り消された場合、かかるユーザが所有する移動局ＵＥによって行われている「Ｉｍｍｅｄｉａｔｅ  ＭＤＴ」をすぐに停止する。【解決手段】本発明に係る移動通信方法は、「Ｃｏｎｎｅｃｔｅｄ状態」の移動局ＵＥが、ＭＤＴの実施に対する承諾が取り消された場合、ネットワークに対して、その旨を示す承諾変更通知を送信する工程と、ネットワークが、かかる承諾変更通知に応じて、「Ｃｏｎｎｅｃｔｅｄ状態」の移動局ＵＥに対して、上述の「Ｍｅａｓｕｒｅｍｅｎｔ  Ｃｏｎｆｉｇｕｒａｔｉｏｎ」を削除するように指示する工程と、「Ｍｅａｓｕｒｅｍｅｎｔ  Ｃｏｎｆｉｇｕｒａｔｉｏｎ」が、かかる指示に応じて、「Ｍｅａｓｕｒｅｍｅｎｔ  Ｃｏｎｆｉｇｕｒａｔｉｏｎ」を削除し、上述の所定無線品質の測定を中止する工程とを有する。【選択図】図４
2012222666.tif 000002
【特許請求の範囲】
【請求項１】
ネットワークが、測定走行試験の実施に対する承諾がなされている接続状態の移動局に対して、所定無線品質を測定するように指示する測定構成情報を送信する工程Ａと、
前記接続状態の移動局が、前記測定構成情報に応じて、前記所定無線品質を測定し、前記ネットワークに対して、該所定無線品質の測定結果及び該移動局の位置情報を送信する工程Ｂと、
前記接続状態の移動局が、前記測定走行試験の実施に対する承諾が取り消された場合、前記ネットワークに対して、その旨を示す承諾変更通知を送信する工程Ｃと、
前記ネットワークが、前記承諾変更通知に応じて、前記接続状態の移動局に対して、前記測定構成情報を削除するように指示する工程Ｄと、
前記接続状態の移動局が、前記指示に応じて、前記測定構成情報を削除し、前記所定無線品質の測定を中止する工程Ｅとを有することを特徴とする移動通信方法。
【請求項２】
前記工程Ｅが行われた後、前記移動局が、デタッチ処理を行った場合に、前記測定走行試験の実施に対する承諾がなされていないことを記憶しておく工程Ｆを更に有することを特徴とする移動通信方法。
【請求項３】
前記工程Ｆが行われた後、前記移動局が、アタッチ処理を行う際に、前記ネットワークに対して、前記測定走行試験に関連する能力を具備している旨を通知しない工程Ｇを更に有することを特徴とする請求項２に記載の移動通信方法。
【請求項４】
測定走行試験の実施に対する承諾がなされている接続状態の移動局に対して、所定無線品質を測定するように指示する測定構成情報を送信するように構成されている送信部を具備し、
前記送信部は、前記接続状態の移動局が、前記測定走行試験の実施に対する承諾が取り消されたことを検出した場合、該接続状態の移動局に対して、前記測定構成情報を削除するように指示するように構成されていることを特徴とする無線基地局。
【請求項５】
移動局であって、
測定走行試験の実施に対する承諾がなされているか否かについて管理するように構成されている承諾管理部と、
前記移動局が、接続状態である場合で、前記測定走行試験の実施に対する承諾がなされている場合で、かつ、ネットワークから所定無線品質を測定するように指示する測定構成情報を受信した場合に、該測定構成情報に応じて、該所定無線品質を測定し、前記ネットワークに対して、該所定無線品質の測定結果及び該移動局の位置情報を送信するように構成されている測定走行試験機能部を具備しており、
前記移動局が、接続状態である場合で、かつ、前記測定走行試験の実施に対する承諾が取り消された場合、前記測定走行試験機能部は、前記ネットワークに対して、その旨を示す承諾変更通知を送信するように構成されており、
前記移動局が、接続状態である場合で、かつ、前記ネットワークから前記測定構成情報を削除するように指示された場合に、前記測定走行試験機能部は、該測定構成情報を削除し、前記所定無線品質の測定を中止するように構成されていることを特徴とする移動局。
【請求項６】
前記移動局が、前記所定無線品質の測定を中止した後に、デタッチ処理を行った場合に、前記承諾管理部は、前記測定走行試験の実施に対する承諾がなされていないことを記憶しておくように構成されていることを特徴とする請求項５に記載の移動局。
【請求項７】
前記移動局が、前記デタッチ処理を行った後に、アタッチ処理を行う際に、前記測定走行試験機能部は、前記ネットワークに対して、前記測定走行試験に関連する能力を具備している旨を通知しないように構成されていることを特徴とする請求項６に記載の移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式では、移動局ＵＥから、実環境における所定無線品質の測定結果を収集することによって、走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。
【０００３】
かかるＭＤＴのうち、「Ｉｍｍｅｄｉａｔｅ  ＭＤＴ」では、移動局ＵＥは、現状のＲＲＭ（Ｒａｄｉｏ  Ｒｅｓｏｕｒｃｅ  Ｍａｎａｇｅｍｅｎｔ）用の「Ｍｅａｓｕｒｅｍｅｎｔ  Ｃｏｎｆｉｇｕｒａｔｉｏｎ」に応じて、「Ｍｅａｓｕｒｅｍｅｎｔ  Ｒｅｐｏｒｔ」によって、ネットワークに対して、所定無線品質の測定結果及び移動局ＵＥの位置情報（Ｌｏｃａｔｉｏｎ  Ｉｎｆｏｒｍａｔｉｏｎ）を報告するように構成されている。
【先行技術文献】
【非特許文献】
【０００４】
【非特許文献１】３ＧＰＰ  ３７.３２０
【非特許文献１】３ＧＰＰ  ３７.３３１
【発明の概要】
【発明が解決しようとする課題】
【０００５】
ここで、かかる「Ｉｍｍｅｄｉａｔｅ  ＭＤＴ」は、移動局ＵＥにとってサービスではないため、移動局ＵＥに対して、「Ｉｍｍｅｄｉａｔｅ  ＭＤＴ」を実施させるためには、かかる移動局ＵＥを所有するユーザの承諾が必要である。
【０００６】
現状では、ネットワークが、かかるユーザによる承諾状況を管理しており、かかる承諾状況に応じて、移動局ＵＥに対して「Ｉｍｍｅｄｉａｔｅ  ＭＤＴ」を実施させるか否かについて制御するように構成されている。
【０００７】
しかしながら、従来の移動通信システムでは、ユーザによってＭＤＴに対する承諾が取り消された場合、かかるユーザが所有する移動局ＵＥによって行われている「Ｉｍｍｅｄｉａｔｅ  ＭＤＴ」をすぐに停止することができないという問題点があった。
【０００８】
そこで、本発明は、上述の課題に鑑みてなされたものであり、ユーザによってＭＤＴに対する承諾が取り消された場合に、かかるユーザが所有する移動局ＵＥによって行われている「Ｉｍｍｅｄｉａｔｅ  ＭＤＴ」をすぐに停止することができる移動通信方法、無線基地局及び移動局を提供することを目的とする。
【課題を解決するための手段】
【０００９】
本発明の第１の特徴は、移動通信方法であって、ネットワークが、測定走行試験の実施に対する承諾がなされている接続状態の移動局に対して、所定無線品質を測定するように指示する測定構成情報を送信する工程Ａと、前記接続状態の移動局が、前記測定構成情報に応じて、前記所定無線品質を測定し、前記ネットワークに対して、該所定無線品質の測定結果及び該移動局の位置情報を送信する工程Ｂと、前記接続状態の移動局が、前記測定走行試験の実施に対する承諾が取り消された場合、前記ネットワークに対して、その旨を示す承諾変更通知を送信する工程Ｃと、前記ネットワークが、前記承諾変更通知に応じて、前記接続状態の移動局に対して、前記測定構成情報を削除するように指示する工程Ｄと、前記接続状態の移動局が、前記指示に応じて、前記測定構成情報を削除し、前記所定無線品質の測定を中止する工程Ｅとを有することを要旨とする。
【００１０】
本発明の第２の特徴は、無線基地局であって、測定走行試験の実施に対する承諾がなされている接続状態の移動局に対して、所定無線品質を測定するように指示する測定構成情報を送信するように構成されている送信部を具備し、前記送信部は、前記接続状態の移動局が、前記測定走行試験の実施に対する承諾が取り消されたことを検出した場合、該接続状態の移動局に対して、前記測定構成情報を削除するように指示するように構成されていることを要旨とする。
【００１１】
本発明の第３の特徴は、移動局であって、測定走行試験の実施に対する承諾がなされているか否かについて管理するように構成されている承諾管理部と、前記移動局が、接続状態である場合で、前記測定走行試験の実施に対する承諾がなされている場合で、かつ、ネットワークから所定無線品質を測定するように指示する測定構成情報を受信した場合に、該測定構成情報に応じて、該所定無線品質を測定し、前記ネットワークに対して、該所定無線品質の測定結果及び該移動局の位置情報を送信するように構成されている測定走行試験機能部を具備しており、前記移動局が、接続状態である場合で、かつ、前記測定走行試験の実施に対する承諾が取り消された場合、前記測定走行試験機能部は、前記ネットワークに対して、その旨を示す承諾変更通知を送信するように構成されており、前記移動局が、接続状態である場合で、かつ、前記ネットワークから前記測定構成情報を削除するように指示された場合に、前記測定走行試験機能部は、該測定構成情報を削除し、前記所定無線品質の測定を中止するように構成されていることを要旨とする。
【発明の効果】
【００１２】
以上説明したように、本発明によれば、ユーザによってＭＤＴに対する承諾が取り消された場合、かかるユーザが所有する移動局ＵＥによって行われている「Ｉｍｍｅｄｉａｔｅ  ＭＤＴ」をすぐに停止することができる移動通信方法、無線基地局及び移動局を提供することができる。
【図面の簡単な説明】
【００１３】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【発明を実施するための形態】
【００１４】
（本発明の第１の実施形態に係る移動通信システム）
図１乃至図５を参照して、本発明の第１の実施形態に係る移動通信システムについて説明する。
【００１５】
図１に示すように、本実施形態に係る移動通信システムは、加入者情報管理サーバＨＳＳ（Ｈｏｍｅ  Ｓｕｂｓｃｒｉｂｅｒ  Ｓｅｒｖｅｒ）と、移動管理ノードＭＭＥ（Ｍｏｂｉｌｉｔｙ  Ｍａｎａｇｅｍｅｎｔ  Ｅｎｔｉｔｙ）と、ＬＴＥ方式の無線アクセスネットワーク装置としての無線基地局ｅＮＢとを具備している。
【００１６】
図２に示すように、本実施形態に係る移動局ＵＥは、Ｃｏｎｓｅｎｔ管理部１１と、ＭＤＴ機能部１２とを具備している。
【００１７】
Ｃｏｎｓｅｎｔ管理部１１は、ＭＤＴの実施に対して承諾がなされているか否かについて管理するように構成されている。
【００１８】
例えば、Ｃｏｎｓｅｎｔ管理部１１は、アプリケーションレイヤにおける機能であって、ユーザは、Ｃｏｎｓｅｎｔ管理部１１を介して、ＭＤＴの実施に対して承諾を行うか否かについて設定することができる。
【００１９】
ＭＤＴ機能部１２は、ＡＳ（Ａｃｃｅｓｓ  Ｓｔｒａｔｕｍ）レイヤにおける機能であって、ＭＤＴに係る処理を行うように構成されている。
【００２０】
具体的には、ＭＤＴ機能部１２は、移動局ＵＥが、「Ｃｏｎｎｅｃｔｅｄ状態」である場合で、ＭＤＴの実施に対する承諾がなされている場合で、かつ、ネットワークから所定無線品質を測定するように指示する「Ｍｅａｓｕｒｅｍｅｎｔ  Ｃｏｎｆｉｇｕｒａｔｉｏｎ」を受信した場合に、かかる「Ｍｅａｓｕｒｅｍｅｎｔ  Ｃｏｎｆｉｇｕｒａｔｉｏｎ」に応じて、「Ｉｍｍｅｄｉａｔｅ  ＭＤＴ」を実施するように構成されている、すなわち、かかる所定無線品質を測定し、ネットワークに対して、かかる所定無線品質の測定結果及び移動局ＵＥの位置情報を送信するように構成されている。
【００２１】
また、移動局ＵＥが、「Ｃｏｎｎｅｃｔｅｄ状態」である場合で、かつ、ＭＤＴの実施に対する承諾が取り消された場合、ＭＤＴ機能部１２は、ネットワークに対して、その旨を示すＣｏｎｓｅｎｔ変更通知を送信するように構成されている。
【００２２】
また、移動局ＵＥが、「Ｃｏｎｎｅｃｔｅｄ状態」である場合で、かつ、ネットワークから「Ｍｅａｓｕｒｅｍｅｎｔ  Ｃｏｎｆｉｇｕｒａｔｉｏｎ」を削除又は変更するように指示された場合に、ＭＤＴ機能部１２は、かかる「Ｍｅａｓｕｒｅｍｅｎｔ  Ｃｏｎｆｉｇｕｒａｔｉｏｎ」を削除又は変更し、「Ｉｍｍｅｄｉａｔｅ  ＭＤＴ」の実施を中止するように構成されている、すなわち、上述の所定無線品質の測定を中止するように構成されている。
【００２３】
また、ＭＤＴ機能部１２は、ネットワークから「Ｍｅａｓｕｒｅｍｅｎｔ  Ｃｏｎｆｉｇｕｒａｔｉｏｎ」を変更するように指示された場合に、変更された内容の所定無線品質の測定結果を報告してもよい。
【００２４】
具体的には、ＭＤＴ機能部１２は、「Ｉｍｍｅｄｉａｔｅ  ＭＤＴ」用の「Ｍｅａｓｕｒｅｍｅｎｔ  Ｃｏｎｆｉｇｕｒａｔｉｏｎ」、すなわち、「Ｌｏｃａｔｉｏｎ  Ｉｎｆｏｒｍａｔｉｏｎ」の報告を必要とする「Ｍｅａｓｕｒｅｍｅｎｔ  Ｃｏｎｆｉｇｕｒａｔｉｏｎ」が設定されている場合に、ネットワークから、かかる「Ｍｅａｓｕｒｅｍｅｎｔ  Ｃｏｎｆｉｇｕｒａｔｉｏｎ」を、Ｍｏｂｉｌｉｔｙ用の「Ｍｅａｓｕｒｅｍｅｎｔ  Ｃｏｎｆｉｇｕｒａｔｉｏｎ」、すなわち、「Ｌｏｃａｔｉｏｎ  Ｉｎｆｏｒｍａｔｉｏｎ」の報告を必要としない「Ｍｅａｓｕｒｅｍｅｎｔ  Ｃｏｎｆｉｇｕｒａｔｉｏｎ」に変更するように指示された場合、「Ｉｍｍｅｄｉａｔｅ  ＭＤＴ」の実施を中止するように構成されている。
【００２５】
なお、移動局ＵＥが、「Ｉｍｍｅｄｉａｔｅ  ＭＤＴ」の実施を中止した後、すなわち、上述の所定無線品質の測定を中止した後に、Ｄｅｔａｃｈ（デタッチ）処理を行った場合であっても、Ｃｏｎｓｅｎｔ管理部１１は、ＭＤＴの実施に対する承諾がなされていないことを記憶しておくように構成されていてもよい。
【００２６】
また、移動局ＵＥが、Ｄｅｔａｃｈ処理を行った後に、Ａｔｔａｃｈ処理を行う際に、ＭＤＴ機能部１２は、ネットワークに対して、ＭＤＴに関連する能力を具備している旨を通知しないように構成されていてもよい。
【００２７】
図３に示すように、無線基地局ｅＮＢは、受信部２１と、Ｃｏｎｓｅｎｔ管理部２２と、送信部２３とを具備している。
【００２８】
受信部２１は、移動局ＵＥや移動管理ノードＭＭＥから、各種信号を受信するように構成されている。例えば、受信部２１は、移動管理ノードＭＭＥから、「Ｃｏｎｓｅｎｔ状況更新通知」を含む「ＵＥ  Ｃｏｎｔｅｘｔ  Ｍｏｄｉｆｉｃａｔｉｏｎ」を受信するように構成されている。
【００２９】
Ｃｏｎｓｅｎｔ管理部２２は、各移動局ＵＥにおいて、ＭＤＴの実施に対して承諾がなされているか否かについて管理するように構成されている。
【００３０】
送信部２３は、移動局ＵＥや移動管理ノードＭＭＥに対して、各種信号を送信するように構成されている。
【００３１】
例えば、送信部２３は、移動局ＵＥに対して、「Ｉｍｍｅｄｉａｔｅ  ＭＤＴ」用の「Ｍｅａｓｕｒｅｍｅｎｔ  Ｃｏｎｆｉｇｕｒａｔｉｏｎ」の追加や削除や変更を指示する「ＲＲＣ  Ｃｏｎｎｅｃｔｉｏｎ  Ｒｅｃｏｎｆｉｇｕｒａｔｉｏｎ」を送信するように構成されている。
【００３２】
以下、図４及び図５を参照して、本発明の第１の実施形態に係る移動通信システムの動作の一例について説明する。
【００３３】
具体的には、図４及び図５を参照して、本発明の第１の実施形態に係る移動通信システムにおいて、ＭＤＴの実施に対する承諾がなされている移動局ＵＥにおいて、ＭＤＴの実施に対する承諾が取り消される場合の動作について説明する。
【００３４】
図４に示すように、移動局ＵＥは、ＭＤＴの実施に対する承諾がなされており、ネットワークから「Ｉｍｍｅｄｉａｔｅ  ＭＤＴ」に係る「Ｍｅａｓｕｒｅｍｅｎｔ  Ｃｏｎｆｉｇｕｒａｔｉｏｎ」が受信されているため、ステップＳ１００１において、「Ｉｍｍｅｄｉａｔｅ  ＭＤＴ」を実施している。
【００３５】
移動局ＵＥは、ステップＳ１００２において、ユーザによってＭＤＴの実施に対する承諾が取り消されたことを検知すると、ステップＳ１００３において、移動管理ノードＭＭＥに対して、その旨を示すＣｏｎｓｅｎｔ変更通知を送信する。
【００３６】
ステップＳ１００４において、移動管理ノードＭＭＥは、加入者情報管理サーバＨＳＳに対して、かかるＣｏｎｓｅｎｔ変更通知を送信し、ステップＳ１００５において、加入者情報管理サーバＨＳＳは、移動局ＵＥに係る加入者情報（特に、移動局ＵＥにおけるＭＤＴの実施に対する承諾状況）を更新し、移動管理ノードＭＭＥに対して、移動局ＵＥにおいてＭＤＴの実施に対する承諾が取り消されたことを示す「Ｃｏｎｓｅｎｔ状況更新通知」を送信する。
【００３７】
ステップＳ１００６において、移動管理ノードＭＭＥは、無線基地局ｅＮＢに対して、かかる「Ｃｏｎｓｅｎｔ状況更新通知」を含む「ＵＥ  Ｃｏｎｔｅｘｔ  Ｍｏｄｉｆｉｃａｔｉｏｎ」を送信する。
【００３８】
ステップＳ１００７において、無線基地局ｅＮＢは、かかる「ＵＥ  Ｃｏｎｔｅｘｔ  Ｍｏｄｉｆｉｃａｔｉｏｎ」に応じて、移動局ＵＥに対して、「Ｉｍｍｅｄｉａｔｅ  ＭＤＴ」用の「Ｍｅａｓｕｒｅｍｅｎｔ  Ｃｏｎｆｉｇｕｒａｔｉｏｎ」の削除を指示する「ＲＲＣ  Ｃｏｎｎｅｃｔｉｏｎ  Ｒｅｃｏｎｆｉｇｕｒａｔｉｏｎ」を送信する。
【００３９】
ステップＳ１００８において、移動局ＵＥは、かかる「ＲＲＣ  Ｃｏｎｎｅｃｔｉｏｎ  Ｒｅｃｏｎｆｉｇｕｒａｔｉｏｎ」に応じて、「Ｉｍｍｅｄｉａｔｅ  ＭＤＴ」用の「Ｍｅａｓｕｒｅｍｅｎｔ  Ｃｏｎｆｉｇｕｒａｔｉｏｎ」を削除し、「Ｉｍｍｅｄｉａｔｅ  ＭＤＴ」の実施を中止する。
【００４０】
その後、図５に示すように、ステップＳ２００１において、移動局ＵＥは、Ｄｅｔａｃｈ処理を行った場合であっても、上述のＭＤＴの実施に対する承諾がなされていないことを記憶しておく。
【００４１】
ステップＳ２００２において、移動局ＵＥは、無線基地局ｅＮＢに対して、「ＲＲＣ  Ｃｏｎｎｅｃｔｉｏｎ  Ｒｅｑｕｅｓｔ」を送信し、ステップＳ２００３において、無線基地局ｅＮＢは、移動局ＵＥに対して、「ＲＲＣ  Ｃｏｎｎｅｃｔｉｏｎ  Ｓｅｔｕｐ」を送信する。
【００４２】
ステップＳ２００４４において、移動局ＵＥは、無線基地局ｅＮＢに対して、「ＡＳ  ＵＥ  Ｃａｐａｂｉｌｉｔｙ」を含む「ＮＡＳ  Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００４３】
ここで、移動局ＵＥは、ＭＤＴの実施に対する承諾がなされていないため、「ＡＳ  ＵＥ  Ｃａｐａｂｉｌｉｔｙ」として、「Ｌｏｇｇｅｄ  ＭＤＴ」を実施することができる能力やＭＤＴ用の位置情報を取得することができる能力といったＭＤＴに関連する能力を具備している場合であっても、ネットワークに対して、かかるＭＤＴに関連する能力を具備している旨を通知しない。
【００４４】
すなわち、かかる場合、移動局ＵＥは、無線基地局ｅＮＢに対して、上述のＭＤＴに関連する能力を含まない「ＡＳ  ＵＥ  Ｃａｐａｂｉｌｉｔｙ」を含む「ＲＲＣ  Ｃｏｎｎｅｃｔｉｏｎ  Ｓｅｔｕｐ  Ｃｏｍｐｌｅｔｅ」を送信する。
【００４５】
ステップＳ２００５において、無線基地局ｅＮＢは、移動管理ノードＭＭＥに対して、「ＡＳ  ＵＥ  Ｃａｐａｂｉｌｉｔｙ」を含む「ＮＡＳ  Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」を送信する。
【００４６】
ここで、かかる「ＡＳ  ＵＥ  Ｃａｐａｂｉｌｉｔｙ」には、上述のＭＤＴに関連する能力を含まれていない。
【００４７】
ステップＳ２００６において、移動管理ノードＭＭＥは、無線基地局ｅＮＢに対して、「ＡＳ  ＵＥ  Ｃａｐａｂｉｌｉｔｙ」を含む「ＮＡＳ  Ａｃｃｅｐｔ」を含む「Ｉｎｉｔｉａｌ  Ｃｏｎｔｅｘｔ  Ｓｅｔｕｐ  Ｒｅｓｐｏｎｓｅ」を送信する。
【００４８】
ここで、かかる「ＡＳ  ＵＥ  Ｃａｐａｂｉｌｉｔｙ」には、上述のＭＤＴに関連する能力を含まれていない。
【００４９】
ステップＳ２００７において、無線基地局ｅＮＢは、受信した「Ｉｎｉｔｉａｌ  Ｃｏｎｔｅｘｔ  Ｓｅｔｕｐ  Ｒｅｓｐｏｎｓｅ」内の「ＮＡＳ  Ａｃｃｅｐｔ」に含まれる「ＡＳ  ＵＥ  Ｃａｐａｂｉｌｉｔｙ」に、上述のＭＤＴに関連する能力が含まれていないため、移動局ＵＥに対して、「Ｉｍｍｅｄｉａｔｅ  ＭＤＴ」用の「Ｍｅａｓｕｒｅｍｅｎｔ  Ｃｏｎｆｉｇｕｒａｔｉｏｎ」の追加を指示する「ＲＲＣ  Ｃｏｎｎｅｃｔｉｏｎ  Ｒｅｃｏｎｆｉｇｕｒａｔｉｏｎ」を送信しない。
【００５０】
本実施形態に係る発明によれば、ユーザによってＭＤＴに対する承諾が取り消された場合には、無線基地局ｅＮＢが、かかるユーザが所有する移動局ＵＥに対して、「Ｉｍｍｅｄｉａｔｅ  ＭＤＴ」用の「Ｍｅａｓｕｒｅｍｅｎｔ  Ｃｏｎｆｉｇｕｒａｔｉｏｎ」の削除を指示する「ＲＲＣ  Ｃｏｎｎｅｃｔｉｏｎ  Ｒｅｃｏｎｆｉｇｕｒａｔｉｏｎ」を送信するように構成されているため、移動局ＵＥによって行われている「Ｉｍｍｅｄｉａｔｅ  ＭＤＴ」をすぐに停止することができる。
【００５１】
以上に述べた本実施形態の特徴は、以下のように表現されていてもよい。
【００５２】
本実施形態の第１の特徴は、移動通信方法であって、ネットワークが、ＭＤＴ（測定走行試験）の実施に対する承諾がなされている「Ｃｏｎｎｅｃｔｅｄ状態（接続状態）」の移動局ＵＥに対して、所定無線品質を測定するように指示する「Ｍｅａｓｕｒｅｍｅｎｔ  Ｃｏｎｆｉｇｕｒａｔｉｏｎ（測定構成情報）」を送信する工程Ａと、「Ｃｏｎｎｅｃｔｅｄ状態」の移動局ＵＥが、「Ｍｅａｓｕｒｅｍｅｎｔ  Ｃｏｎｆｉｇｕｒａｔｉｏｎ」に応じて、所定無線品質を測定し、ネットワークに対して、かかる所定無線品質の測定結果及び移動局ＵＥの位置情報を送信する工程Ｂと、「Ｃｏｎｎｅｃｔｅｄ状態」の移動局ＵＥが、ＭＤＴの実施に対する承諾が取り消された場合、ネットワークに対して、その旨を示すＣｏｎｓｅｎｔ変更通知（承諾変更通知）を送信する工程Ｃと、ネットワークが、かかるＣｏｎｓｅｎｔ変更通知に応じて、「Ｃｏｎｎｅｃｔｅｄ状態」の移動局ＵＥに対して、上述の「Ｍｅａｓｕｒｅｍｅｎｔ  Ｃｏｎｆｉｇｕｒａｔｉｏｎ」を削除するように指示する工程Ｄと、「Ｍｅａｓｕｒｅｍｅｎｔ  Ｃｏｎｆｉｇｕｒａｔｉｏｎ」が、かかる指示に応じて、「Ｍｅａｓｕｒｅｍｅｎｔ  Ｃｏｎｆｉｇｕｒａｔｉｏｎ」を削除し、上述の所定無線品質の測定を中止する工程Ｅとを有することを要旨とする。
【００５３】
本実施形態の第１の特徴において、上述の工程Ｅが行われた後、移動局ＵＥが、Ｄｅｔａｃｈ（デタッチ）処理を行った場合であっても、上述のＭＤＴの実施に対する承諾がなされていないことを記憶しておく工程Ｆを更に有してもよい。
【００５４】
本実施形態の第１の特徴において、上述の工程Ｆが行われた後、移動局ＵＥが、Ａｔｔａｃｈ（アタッチ）処理を行う際に、ネットワークに対して、上述のＭＤＴに関連する能力（ＡＳ  ＵＥ  Ｃａｐａｂｉｌｉｔｙ）を具備している旨を通知しない工程Ｇを更に有してもよい。
【００５５】
本実施形態の第２の特徴は、無線基地局ｅＮＢであって、ＭＤＴの実施に対する承諾がなされている「Ｃｏｎｎｅｃｔｅｄ状態」の移動局ＵＥに対して、所定無線品質を測定するように指示する「Ｍｅａｓｕｒｅｍｅｎｔ  Ｃｏｎｆｉｇｕｒａｔｉｏｎ」を送信するように構成されている送信部２３を具備し、送信部２３は、「Ｃｏｎｎｅｃｔｅｄ状態」の移動局ＵＥが、上述のＭＤＴの実施に対する承諾が取り消されたことを検出した場合、かかる「Ｃｏｎｎｅｃｔｅｄ状態」の移動局ＵＥに対して、上述の「Ｍｅａｓｕｒｅｍｅｎｔ  Ｃｏｎｆｉｇｕｒａｔｉｏｎを削除するように指示するように構成されていることを要旨とする。
【００５６】
本実施形態の第３の特徴は、移動局ＵＥであって、ＭＤＴの実施に対する承諾がなされているか否かについて管理するように構成されているＣｏｎｓｅｎｔ管理部１１（承諾管理部）と、移動局ＵＥが、「Ｃｏｎｎｅｃｔｅｄ状態」である場合で、ＭＤＴの実施に対する承諾がなされている場合で、かつ、ネットワークから所定無線品質を測定するように指示する「Ｍｅａｓｕｒｅｍｅｎｔ  Ｃｏｎｆｉｇｕｒａｔｉｏｎ」を受信した場合に、かかる「Ｍｅａｓｕｒｅｍｅｎｔ  Ｃｏｎｆｉｇｕｒａｔｉｏｎ」に応じて、かかる所定無線品質を測定し、ネットワークに対して、かかる所定無線品質の測定結果及び移動局ＵＥの位置情報を送信するように構成されているＭＤＴ機能部１２（測定走行試験機能部）を具備しており、移動局ＵＥが、「Ｃｏｎｎｅｃｔｅｄ状態」である場合で、かつ、ＭＤＴの実施に対する承諾が取り消された場合、ＭＤＴ機能部１２は、ネットワークに対して、その旨を示すＣｏｎｓｅｎｔ変更通知を送信するように構成されており、移動局ＵＥが、「Ｃｏｎｎｅｃｔｅｄ状態」である場合で、かつ、ネットワークから「Ｍｅａｓｕｒｅｍｅｎｔ  Ｃｏｎｆｉｇｕｒａｔｉｏｎ」を削除するように指示された場合に、ＭＤＴ機能部１２は、かかる「Ｍｅａｓｕｒｅｍｅｎｔ  Ｃｏｎｆｉｇｕｒａｔｉｏｎ」を削除し、上述の所定無線品質の測定を中止するように構成されていることを要旨とする。
【００５７】
本実施形態の第３の特徴において、移動局ＵＥが、上述の所定無線品質の測定を中止した後に、Ｄｅｔａｃｈ処理を行った場合であっても、Ｃｏｎｓｅｎｔ管理部１１は、ＭＤＴの実施に対する承諾がなされていないことを記憶しておくように構成されていてもよい。
【００５８】
本実施形態の第３の特徴において、移動局ＵＥが、Ｄｅｔａｃｈ処理を行った後に、Ａｔｔａｃｈ処理を行う際に、ＭＤＴ機能部１２は、ネットワークに対して、ＭＤＴに関連する能力（ＡＳ  ＵＥ  Ｃａｐａｂｉｌｉｔｙ）を具備している旨を通知しないように構成されていてもよい。
【００５９】
なお、上述の移動局ＵＥや無線基地局ｅＮＢや移動管理ノードＭＭＥや加入者情報管理サーバＨＳＳの動作は、ハードウェアによって実施されてもよいし、プロセッサによって実行されるソフトウェアモジュールによって実施されてもよいし、両者の組み合わせによって実施されてもよい。
【００６０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや移動管理ノードＭＭＥや加入者情報管理サーバＨＳＳ内に設けられていてもよい。また、かかる記憶媒体及びプロセッサは、ディスクリートコンポーネントとして移動局ＵＥや無線基地局ｅＮＢや移動管理ノードＭＭＥや加入者情報管理サーバＨＳＳ内に設けられていてもよい。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６３】
ＵＥ…移動局
ｅＮＢ…無線基地局
ＭＭＥ…移動管理ノード
ＨＳＳ…加入者情報管理サーバ
１１、２２…Ｃｏｎｓｅｎｔ管理部
１２…ＭＤＴ機能部
２１…受信部
２３…送信部
【図１】
2012222666.tif 000003
【図２】
2012222666.tif 000004
【図３】
2012222666.tif 000005
【図４】
2012222666.tif 000006
【図５】
2012222666.tif 000007